(57)【要約】いくつかの実施形態では、偏光ビームスプリッタが、提供される。ビームスプリッタは、第１の対向面および第２の対向面を有する、光学的に透過性のスペーサを備えてもよく、第１の対向面上の第１の偏光器と、第２の対向面上の第２の偏光器とを伴う。光学的に透過性のスペーサは、立方体タイプビームスプリッタの第１の三角形プリズムおよび第２の三角形プリズムを分離してもよく、第１の偏光器は、第１の三角形プリズムとスペーサの第１の対向面との間にあり、第２の偏光器は、第２の三角形プリズムとスペーサの第２の対向面との間にある。
2019512108.tif 000002
【特許請求の範囲】
【請求項１】
偏光ビームスプリッタであって、
第１の対向面および第２の対向面を有する光学的に透過性のスペーサと、
前記第１の対向面上の第１の偏光器と、
前記第２の対向面上の第２の偏光器と
を備える、偏光ビームスプリッタ。
【請求項２】
前記光学的に透過性のスペーサは、プレートである、請求項１に記載の偏光ビームスプリッタ。
【請求項３】
前記プレートは、湾曲プレートである、請求項２に記載の偏光ビームスプリッタ。
【請求項４】
前記光学的に透過性のスペーサは、第１の三角形プリズムおよび第２の三角形プリズムを分離し、
前記第１の偏光器は、前記第１の三角形プリズムと前記スペーサの前記第１の対向面との間にあり、
前記第２の偏光器は、前記第２の三角形プリズムと前記スペーサの前記第２の対向面との間にある、
請求項１に記載の偏光ビームスプリッタ。
【請求項５】
前記第１の三角形プリズムおよび前記第２の三角形プリズムは、立方体タイプビームスプリッタを形成する、請求項１に記載の偏光ビームスプリッタ。
【請求項６】
前記光学的に透過性のスペーサは、前記第１の対向面と前記第２の対向面との間の吸収性偏光器を備える、請求項１に記載の偏光ビームスプリッタ。
【請求項７】
前記吸収性偏光器は、前記第１の対向面および前記第２の対向面と平行に延在する、請求項６に記載の偏光ビームスプリッタ。
【請求項８】
前記第１の偏光器および前記第２の偏光器は、同一偏光の光を透過させるように構成される、請求項１に記載の偏光ビームスプリッタ。
【請求項９】
前記第１の偏光器は、ワイヤグリッド偏光器、薄膜偏光器、および多層複屈折スタック偏光器から成る群から選択される偏光器である、請求項１に記載の偏光ビームスプリッタ。
【請求項１０】
前記第２の偏光器は、ワイヤグリッド偏光器、薄膜偏光器、および多層複屈折スタック偏光器から成る群から選択される偏光器である、請求項９に記載の偏光ビームスプリッタ。
【請求項１１】
前記第１の偏光器および前記第２の偏光器は、同一タイプの偏光器である、請求項１０に記載の偏光ビームスプリッタ。
【請求項１２】
前記光学的に透過性のスペーサは、ガラスまたはポリマーのうちの１つまたはそれを上回るものを含む、請求項１に記載の偏光ビームスプリッタ。
【請求項１３】
ディスプレイシステムであって、
偏光ビームスプリッタであって、
第１の対向面および第２の対向面を有する光学的に透過性のスペーサと、
前記第１の対向面上の第１の偏光器と、
前記第２の対向面上の第２の偏光器と
を備える、偏光ビームスプリッタと、
光源と、
空間光変調器と、
反射体と
を備え、前記偏光ビームスプリッタは、
光を前記光源から前記反射体に向かって反射させることと、
前記反射体から前記空間光変調器に光を透過させることと、
前記光が前記偏光ビームスプリッタおよび前記光源から離れるように伝搬するように、光を前記空間光変調器から反射させることと
を行うように構成される、ディスプレイシステム。
【請求項１４】
前記反射体および前記空間光変調器は、前記偏光ビームスプリッタの両側にあり、前記光源は、前記反射体から前記空間光変調器に延在する光学経路に直交する方向において光を前記偏光ビームスプリッタに出力するように位置付けられる、請求項１３に記載のディスプレイシステム。
【請求項１５】
前記偏光ビームスプリッタおよび前記光源から離れるように伝搬する前記光を受信し、前記光を視認者に向かって透過させるように構成される、屈折光学素子をさらに備える、請求項１４に記載のディスプレイシステム。
【請求項１６】
内部結合光学要素と、
外部結合光学要素と
を備える導波管をさらに備え、
前記内部結合光学要素は、前記ビームスプリッタおよび前記光源から離れるように伝搬する前記光を受信および内部結合するように構成され、
前記外部結合光学要素は、前記内部結合された光を視認者に向かって外部結合するように構成される、
請求項１４に記載のディスプレイシステム。
【請求項１７】
前記導波管のスタックをさらに備える、請求項１６に記載のディスプレイシステム。
【請求項１８】
前記スタックの各導波管は、前記導波管のスタックの１つまたはそれを上回る他の導波管と比較して、異なる発散量を伴って光を出力するように構成される、請求項１７に記載のディスプレイシステム。
【請求項１９】
前記光学的に透過性のスペーサは、プレートである、請求項１３に記載のディスプレイシステム。
【請求項２０】
前記光学的に透過性のスペーサは、第１の三角形プリズムおよび第２の三角形プリズムを分離し、
前記第１の偏光器は、前記第１の三角形プリズムと前記スペーサの第１の対向面との間にあり、
前記第２の偏光器は、前記第２の三角形プリズムと前記スペーサの第２の対向面との間にある、
請求項１３に記載のディスプレイシステム。
【請求項２１】
前記光学的に透過性のスペーサは、前記第１の対向面と前記第２の対向面との間の吸収性偏光器を備える、請求項１３に記載のディスプレイシステム。
【発明の詳細な説明】
【技術分野】
【０００１】
（関連出願の相互参照）
本願は、２０１６年２月２４日に出願され“ＰＯＬＡＲＩＺＩＮＧ  ＢＥＡＭ  ＳＰＬＩＴＴＥＲ  ＷＩＴＨ  ＬＯＷ  ＬＩＧＨＴ  ＬＥＡＫＡＧＥ”と題された米国仮出願第６２／２９９，５４７号、２０１６年２月２５日に出願され“ＰＯＬＡＲＩＺＩＮＧ  ＢＥＡＭ  ＳＰＬＩＴＴＥＲ  ＷＩＴＨ  ＬＯＷ  ＬＩＧＨＴ  ＬＥＡＫＡＧＥ”と題された米国仮出願第６２／２９９，６０１号、２０１６年３月１１日に出願され“ＰＯＬＡＲＩＺＩＮＧ  ＢＥＡＭ  ＳＰＬＩＴＴＥＲ  ＷＩＴＨ  ＬＯＷ  ＬＩＧＨＴ  ＬＥＡＫＡＧＥ”と題された米国仮出願第６２／３０７，２６３号の各々の３５  Ｕ．Ｓ．Ｃ．  §  １１９（ｅ）の下での優先権の利益を主張するものである。これらの優先権文書の開示は、全体が参照により本明細書中に援用される。
【０００２】
（分野）
本願は、２０１４年１１月２７日に出願された米国出願第１４／５５５，５８５号、２０１５年４月１８日に出願された米国出願第１４／６９０，４０１号、２０１４年３月１４日に出願された米国出願第１４／２１２，９６１号、２０１４年７月１４日に出願された米国出願第１４／３３１，２１８号の各々の全体を参照により援用する。
【０００３】
（関連技術の説明）
本開示は、光学デバイスに関し、より具体的には、ディスプレイデバイスのための偏光ビームスプリッタに関する。
【背景技術】
【０００４】
偏光ビームスプリッタは、ディスプレイシステムにおいて、偏光された光を光変調器に指向し、次いで、本光を視認者に指向するために使用されてもよい。概して、ディスプレイシステムのサイズを低減させる継続する需要が存在し、その結果、また、偏光ビームスプリッタを利用する構成部品を含む、ディスプレイシステムの構成部品のサイズを低減させる需要が存在する。
【発明の概要】
【課題を解決するための手段】
【０００５】
いくつかの実施形態では、偏光ビームスプリッタが、提供される。ビームスプリッタは、第１の対向面および第２の対向面を有する、光学的に透過性のスペーサと、第１の対向面上の第１の偏光器と、第２の対向面上の第２の偏光器とを備える。いくつかの実施形態では、光学的に透過性のスペーサは、プレートである。いくつかの他の実施形態では、光学的に透過性のスペーサは、第１の三角形プリズムおよび第２の三角形プリズムを分離してもよく、第１の偏光器は、第１の三角形プリズムとスペーサの第１の対向面との間にあって、第２の偏光器は、第２の三角形プリズムとスペーサの第２の対向面との間にある。
【０００６】
さらに他の実施形態では、ディスプレイシステムが、提供される。ディスプレイシステムは、偏光ビームスプリッタを備える。ビームスプリッタは、第１の対向面および第２の対向面を有する、光学的に透過性のスペーサと、第１の対向面上の第１の偏光器と、第２の対向面上の第２の偏光器とを備える。ディスプレイシステムはまた、光源と、空間光変調器と、反射体とを備える。偏光ビームスプリッタは、光を光源から反射体に向かって反射させ、光を反射体から空間光変調器に透過させ、光が偏光ビームスプリッタおよび光源から離れるように伝搬するように、光を空間光変調器から反射させるように構成される。
【図面の簡単な説明】
【０００７】
【図１】図１は、ＡＲデバイスを通した拡張現実（ＡＲ）のユーザのビューを図示する。
【図２】図２は、ウェアラブルディスプレイシステムの実施例を図示する。
【図３】図３は、ユーザのための３次元画像をシミュレートするための従来のディスプレイシステムを図示する。
【図４】図４は、複数の深度平面を使用して３次元画像をシミュレートするためのアプローチの側面を図示する。
【図５】図５Ａ−５Ｃは、曲率半径と焦点半径との間の関係を図示する。
【図６】図６は、画像情報をユーザに出力するための導波管スタックの実施例を図示する。
【図７】図７は、導波管によって出力された出射ビームの実施例を図示する。
【図８】図８は、各深度平面が複数の異なる原色を使用して形成される画像を含む、スタックされた導波管アセンブリの実施例を図示する。
【図９Ａ】図９Ａは、それぞれが内部結合光学要素を含む、スタックされた導波管のセットの実施例の断面側面図を図示する。
【図９Ｂ】図９Ｂは、図９Ａの複数のスタックされた導波管の実施例の斜視図を図示する。
【図９Ｃ】図９Ｃは、図９Ａおよび９Ｂの複数のスタックされた導波管の実施例の上下平面図を図示する。
【図１０】図１０Ａおよび１０Ｂは、偏光ビームスプリッタ、光源、および光変調器を備える、偏光ビームスプリッタ（ＰＢＳ）ディスプレイアセンブリの基本構想図を図示する。
【図１１】図１１は、偏光ビームスプリッタ、光源、光変調器、および反射体を備える、二重ＰＢＳディスプレイアセンブリの基本構想図を図示する。
【図１２】図１２は、光漏出を有する、二重ＰＢＳディスプレイアセンブリの基本構想図を図示する。
【図１３】図１３Ａ−１３Ｂは、視認者に到達しない光漏出を有する、ＰＢＳディスプレイアセンブリの基本構想図を図示する。
【図１４Ａ】図１４Ａ−１４Ｂは、視認者に到達する光漏出を有する、ＰＢＳディスプレイアセンブリの概略断面図を図示する。
【図１４Ｂ】図１４Ａ−１４Ｂは、視認者に到達する光漏出を有する、ＰＢＳディスプレイアセンブリの概略断面図を図示する。
【図１４Ｃ】図１４Ｃは、画像に及ぼす光漏出の影響を示す、光強度のマップを図示する。
【図１５】図１５は、２つの離間された偏光器を有する、ＰＢＳディスプレイアセンブリを図示する。
【図１６】図１６は、介在反射防止偏光器とともに、２つの離間された偏光器を有する、ＰＢＳディスプレイアセンブリを図示する。
【図１７】図１７は、光学的に透過性のスペーサの対向表面上に２つの離間された偏光器を有する、プレートタイプビームスプリッタを図示する。
【図１８】図１８は、光学的に透過性のスペーサの対向表面上に２つの離間された偏光器を有する、湾曲プレートタイプビームスプリッタを図示する。
【図１９】図１９は、介在反射防止偏光器を含有する、プレートタイプビームスプリッタを図示する。
【０００８】
図面は、例示的実施形態を図示するために提供され、本開示の範囲を限定することを意図するものではなく、必ずしも、正確な縮尺で描かれていない。同様の参照番号は、全体を通して同様の部分を指す。
【発明を実施するための形態】
【０００９】
いくつかのディスプレイデバイスでは、偏光ビームスプリッタが、光を光源から光変調器に指向するために使用されてもよく、これは、次いで、光を変調し、偏光ビームスプリッタを通して視認者に反射させ得る。光変調器による光の変調は、光を画像情報でエンコードすると言え得、これは、次いで、視認者に伝搬されることを理解されたい。図１０Ａおよび１０Ｂは、導波管アセンブリ１２００を介して画像情報を視認者に提供するために開発された、偏光ビームスプリッタ（ＰＢＳ）ディスプレイアセンブリ５００ａおよび５００ｂの基本構想図を図示する。ディスプレイアセンブリ５００ａおよび５００ｂは、偏光ビームスプリッタ（ＰＢＳ）５１０と、光源（例えば、発光ダイオードまたはＬＥＤ）と、光変調器とを備える。図示されるように、前置偏光器が、ＰＢＳ５１０と光源との間に提供されてもよい。前置偏光器は、ｓ−偏光された光をＰＢＳ５１０に選択的に透過させるように構成されてもよく、これは、次いで、ｓ−偏光された光を光変調器、例えば、空間光変調器に反射させ、これは、光を変調し、画像を形成することと、変調された光をＰＢＳ５１０を通して光を視認者の眼２１０に中継する導波管アセンブリ１２００の内部結合光学要素に反射させることとの両方を行う。光変調器は、受信されたｓ−偏光された光をｐ−偏光された光に変換し、ＰＢＳ５１０は、ｓ−偏光された光（Ｒｓ）を選択的に反射させ、ｐ−偏光された光（Ｔｐ）を透過させることを理解されたい。クリーンアップ偏光器が、ＰＢＳ５１０と導波管アセンブリ１２００との間に提供され、非意図的に透過された光を除去してもよい。
【００１０】
図１０Ｂは、前置偏光器がｐ−偏光された光をＰＢＳ５１０に透過させる、代替配列を示す。ＰＢＳ５１０を通して進行する、ｐ−偏光された光は、光変調器によって、ｓ−偏光された光として、ＰＢＳ５１０に反射および変調される。ＰＢＳ５１０は、次いで、ｓ−偏光された光を導波管アセンブリ１２００に向かって反射させる。
【００１１】
図に図示される光線を参照した本明細書における規約として、文字ｓおよびｐは、一意の偏光を伴う光（例えば、それぞれ、ｓ−偏光状態を有する光およびｐ−偏光状態を有する光）を示し、文字ＴおよびＲは、それぞれ、透過および反射された光を示す。したがって、Ｔｐは、ｐ−偏光状態を有する透過された光を示し、Ｒｓは、ｓ−偏光状態を有する光を示す。
【００１２】
光学制約に起因して、光源は、ＰＢＳ５１０からある距離だけ離間される必要があり得ることを理解されたい。望ましくなく、これは、ＰＢＳディスプレイアセンブリ５００ａ、５００ｂによって占有される体積を増加させ得、距離は、長くなる。
【００１３】
よりコンパクトなＰＢＳディスプレイアセンブリが、本明細書に提供される。図１１は、偏光ビームスプリッタ６１０と、光源６２０と、光変調器と、反射体または反射光学素子とを備える、二重ＰＢＳディスプレイアセンブリ６００の基本構想図を図示する。いくつかの実施形態では、光源６２０は、発光ダイオード（ＬＥＤ）である。いくつかの他の実施形態では、光源６２０は、限定ではないが、蛍光光または白熱光であってもよい。図示されるように、前置偏光器が、光源とＰＢＳ６１０との間に提供されてもよい。前置偏光器は、１つの偏光の光（例えば、ｓ−偏光された光Ｓ）をＰＢＳ６１０に透過させ、これは、次いで、ｓ−偏光された光（Ｒｓ）を反射光学素子に反射させる。反射光学素子は、光をＰＢＳ６１０を通して光変調器、例えば、空間光変調器に反射させる。好ましくは、光変調器は、入射光を変調し、画像を形成し、また、入射光の偏光を反射および変化させる、空間光変調器である。いくつかの実施形態では、光変調器は、シリコン上液晶（ＬＣＯＳ）ディスプレイ等の反射液晶ディスプレイである。光変調器からの変調および反射された光は、ＰＢＳ６１０の中に反射され、これは、次いで、その光を導波管アセンブリ１２００に向かって反射させる。
【００１４】
図１１を継続して参照すると、いくつかの実施形態では、４分の１波長板（ＱＷＰ）が、ＰＢＳ６１０と反射光学素子との間に配置されてもよい。加えて、いくつかの実施形態では、補償器が、光変調器とＰＢＳ６１０との間に配置されてもよい。いくつかの実施形態では、クリーンアップ偏光器が、ＰＢＳ６１０と導波管アセンブリ１２００との間に提供され、非意図的に透過された光を除去してもよい。いくつかの実施形態では、屈折光学素子（例えば、１つまたはそれを上回るレンズ構造）が、クリーンアップ偏光器と導波管アセンブリ１２００との間に配置されてもよい。例えば、クリーンアップ偏光器は、クリーンアップ偏光器に面したＰＢＳ６１０の光出力面上にあってもよい、またはＰＢＳ６１０と導波管アセンブリ１２００との間の光の経路内においてＰＢＳ６１０から離間されて配置されてもよい。
【００１５】
有利には、反射屈折光学素子と、ＰＢＳ６１０、光源６２０、および光変調器の組み合わせの使用は、図１０Ａおよび１０Ｂに示されるもの等の反射屈折光学素子を伴わない構成と比較して、光源６２０とＰＢＳ６１０との間の要求される間隔を低減させることによって、コンパクトなＰＢＳディスプレイアセンブリ６００を提供する。アセンブリ内の光の複数の反射に起因して、ＰＢＳディスプレイアセンブリ６００はまた、二重アセンブリとも称され得る。有利には、複数の反射は、図１０Ａおよび１０Ｂのディスプレイアセンブリ５００ａおよび５００ｂと比較して、よりコンパクトなパッケージ内において光変調器までの長い光経路長を提供する。
【００１６】
しかしながら、ＰＢＳは、特定の偏光の光を反射および／または透過させることにおいて完璧に選択的ではない場合があることを理解されたい。例えば、全てのｓ−偏光された光を光源６２０から反射屈折光学素子に反射させるのではなく、本光の一部は、ＰＢＳ６１０を通して、直接、視認者に向かって透過され（導波管アセンブリ１２００を介して）、それによって、コントラストを低減させ得る、グレアを生じさせ得る。図１２は、光漏出を有する、二重ＰＢＳディスプレイアセンブリ６００の基本構想図を図示する。図示されるように、光源６２０からｓ−偏光された光が、Ｔｓとして、ＰＢＳ６１０に透過される。光源６２０からｓ−偏光された光の大部分は、ＰＢＳ６１０によって反射光学素子に反射されるが、しかしながら、わずかなパーセンテージが、ＰＢＳ６１０を通して、直接、導波管アセンブリ１２００に向かって透過され得る。本直接透過される光は、光変調器によって変調されず、画質の知覚された低減およびグレアの両方をもたらし得る。
【００１７】
そのようなグレアおよび画質低減は、反射光学素子を利用しない、より大きいＰＢＳディスプレイアセンブリ内に存在しないことが見出されている。例えば、図１３Ａ−１３Ｂは、視認者の眼２１０に到達しない光漏出を有する、ＰＢＳディスプレイアセンブリ５００ａおよび５００ｂの基本構想図を図示する。むしろ、光源６２０に対する視認者の眼２１０の配向に起因して、ＰＢＳ６１０によって非意図的に透過される光は、導波管アセンブリ１２００に向かうものと異なる方向において伝搬する。
【００１８】
一方、図１４Ａ−１４Ｂは、導波管アセンブリ１２００を介して視認者に到達する光漏出を有する、ＰＢＳディスプレイアセンブリ６００の概略断面図を図示する。図１４Ａは、漏出される光がどのように集束されるかを図示し、図１４Ｂは、画像を生成する光がどのように集束されるかを図示する。着目すべきこととして、漏出される光は、視認者に認められ得る、２つの明確に異なるホットスポットを形成する。図１４Ｃは、光強度のマップを図示し、画像に及ぼす光漏出の影響を示す。図示されるように、光漏出によって生じるホットスポット９００は、容易に明白である。
【００１９】
有利には、いくつかの実施形態では、光漏出は、２つの離間された偏光器を有するＰＢＳを使用して、緩和され得る。図１５は、間隙７２０によって分離される２つの離間された偏光器７１０ａおよび７１０ｂを有する、ＰＢＳディスプレイアセンブリ７００を図示する。図１５は、ディスプレイアセンブリ７００のＰＢＳ７１０を分離して図示する。偏光器７１０ａおよび７１０ｂは、ＰＢＳ７１０を２つの区分７３０ａおよび７３０ｂに分割する。ＰＢＳディスプレイアセンブリ７００の特徴は、ＰＢＳディスプレイアセンブリ６００（図１１）のものに類似し得るが、ＰＢＳ６１０は、ＰＢＳ７１０と置換される。いくつかの実施形態では、ＰＢＳディスプレイアセンブリ７００は、ＰＢＳディスプレイアセンブリ６００と類似し、図１１に議論および図示される特徴の一部または全部を有し得るが、ＰＢＳ７１０が、ＰＢＳディスプレイアセンブリ６００に見出されるＰＢＳ６１０に取って代わる。ＰＢＳ７１０自体は、ＰＢＳ６１０と類似または同じであり得るが、偏光器７１０ａおよび７１０ｂおよび反転間隙７２０が存在する。
【００２０】
図１５を継続して参照すると、ＰＢＳ７１０は、いくつかの実施形態では、直方体、例えば、立方体の全体的形状を有してもよい。直方体は、直方体の２つの対向面上で対角線上に延びる線に沿って２つの区分に分裂されてもよい。いくつかの実施形態では、ＰＢＳ７１０は、ともに直方体、例えば、立方体を形成する、２つの三角形区分またはプリズム、７３０ａおよび７３０ｂから形成されてもよい。２つの三角形区分またはプリズム７３０ａおよび７３０ｂは、接着剤、例えば、屈折率整合接着剤によって、ともに継合されてもよい。三角形区分７３０ａおよび７３０ｂは、光学的に透過性の材料、例えば、ガラスおよびプラスチックのうちの１つまたはそれを上回るものから形成されてもよい。同様に、接着剤も、光学的に透過性であってもよい。
【００２１】
いくつかの実施形態では、偏光器７１０ａおよび７１０ｂは、例えば、平行ワイヤ（金属ワイヤ等）のパターンによって形成される、ワイヤグリッド偏光器であってもよい。さらに他の実施形態では、偏光器７１０ａおよび７１０ｂは、薄膜ＰＢＳコーティング（例えば、ダイクロイック（例えば、ＭａｃＮｅｉｌｌｅ  ＰＢＳ）であってもよい。いくつかの他の実施形態では、偏光器７１０ａおよび７１０ｂは、多層複屈折スタックであってもよい。いくつかの実施形態では、偏光器７１０ａおよび７１０ｂは、同一タイプの偏光器である（例えば、偏光器７１０ａおよび７１０ｂの両方が、ワイヤグリッド偏光器であってもよい）ことを理解されたい。いくつかの他の実施形態では、偏光器７１０ａおよび７１０ｂは、異なるタイプの偏光器であってもよい（例えば、一方は、ワイヤグリッド偏光器であってもよく、他方は、薄膜ＰＢＳコーティングであってもよい）。
【００２２】
図１５を継続して参照すると、間隙７２０は、屈折率整合材料、例えば、区分７３０ａおよび７３０ｂの屈折率に合致する屈折率を有する材料で充填されてもよい。例えば、間隙７２０内の材料の屈折率は、約０．１またはそれ未満、約０．０５またはそれ未満、約０．０３またはそれ未満、または約０．０２またはそれ未満だけ区分７３０ａおよび７３０ｂの屈折率と異なってもよい。いくつかの実施形態では、屈折率整合材料は、区分７３０ａおよび７３０ｂをともに継合する、屈折率整合接着剤である。いくつかの実施形態では、間隙は、約１０ｎｍまたはそれを上回る、５０ｎｍまたはそれを上回る、１００ナノメートルまたはそれを上回る、２００ｎｍまたはそれを上回る、５００ｎｍまたはそれを上回る、１μｍまたはそれを上回る、５μｍまたはそれを上回る、または１０μｍまたはそれを上回る幅を有する。加えて、いくつかの実施形態では、幅は、２０μｍまたはそれ未満、または１５μｍまたはそれ未満である。材料で充填された間隙７２０は、光学的に透過性のスペーサ７２２を形成し得ることを理解されたい。
【００２３】
有利には、対向偏光器７１０ａおよび７１０ｂは、光漏出を低減させ、コントラストを有意に増加させ得る。例えば、いくつかの実施形態では、偏光器７１０ａおよび７１０ｂを伴わない場合の漏出される光の量は、１．７％であり得、これは、コントラスト比６０：１に対応する。偏光器７１０ａおよび７１０ｂが存在する場合、コントラスト比は、３６００：１まで分子の２乗によって理論的に増加され得る。いくつかの実施形態では、実際のコントラスト比は、５００：１またはより高い、１０００：１またはより高い、または２０００：１またはより高くてもよい。有利には、漏出される光の透過によって生じるホットスポットは、偏光器７１０ａおよび７１０ｂを使用するとき、視覚的に判別可能ではない。
【００２４】
図１５を継続して参照すると、偏光器７１０ａと７１０ｂとの間の間隙７２０を充填するスペーサ７２２は、導波管として機能し得る。例えば、光は、偏光器７１０ａおよび７１０ｂの相互に面した対向表面における反射、例えば、全内部反射に起因して、スペーサ７２２内を伝搬し得る。本反射は、望ましくない場合があり、画像アーチファクトを生じさせ得る。
【００２５】
いくつかの実施形態では、吸収性偏光器が、偏光器７１０ａと７１０ｂとの間のスペーサ７２２内に提供されてもよい。図１６は、介在反射防止偏光器７４０とともに、２つの離間された偏光器７１０ａおよび７１０ｂを有する、ＰＢＳディスプレイアセンブリ７００を図示する。反射防止偏光器７４０は、偏光器７１０ａと７１０ｂとの間の間隙内の光を吸収し、それによって、偏光器７１０ａと７１０ｂとの間の反射を防止または低減させるように構成されてもよい。反射防止偏光器の偏光は、光源からの第１のインスタンスにおいて光を受信する偏光器７１０ａによって透過される偏光の光を優先的に吸収するように選定されてもよい。例えば、反射防止偏光器７４０は、Ｔｓを優先的に吸収してもよい。Ｔｓの最小限化は、本偏光器７４０の主な機能である。反射防止偏光器７４０は、完全または部分的にのみ、間隙７２０の長さに沿って延在してもよい。いくつかの実施形態では、反射防止偏光器７４０は、吸収性偏光器である。いくつかの他の実施形態では、反射防止偏光器７４０は、ｅ−モード偏光器、ｏ−モード偏光器、または色選択性を伴う偏光スタックである。いくつかの実施形態では、反射防止偏光器７４０は、前述の偏光器および／または偏光スタックの組み合わせであってもよい。有利には、反射防止偏光器７４０と偏光器７１０ａおよび７１０ｂの併用は、２，０００：１またはより高いコントラスト比を提供し得る。
【００２６】
図１６を継続して参照すると、反射防止偏光器７４０は、間隙７２０ａおよび７２０ｂによって、離間された偏光器７１０ａおよび７１０ｂから分離される。いくつかの実施形態では、間隙７２０ａおよび７２０ｂはそれぞれ、約１０ｎｍまたはそれを上回る、５０ｎｍまたはそれを上回る、１００ナノメートルまたはそれを上回る、２００ｎｍまたはそれを上回る、５００ｎｍまたはそれを上回る、１μｍまたはそれを上回る、５μｍまたはそれを上回る、または１０μｍまたはそれを上回る幅を有する。加えて、いくつかの実施形態では、各間隙７２０ａおよび７２０ｂの幅は、２０μｍまたはそれ未満である。換言すると、反射防止偏光器７４０は、スペーサ７２２内に配置され、スペーサ７２２を区分７２２ａおよび７２２ｂに分離する。区分７２２ａは、厚さ７２０ａを有し、区分７２２ｂは、厚さ７２０ｂを有する。
【００２７】
いくつかの実施形態では、スペーサ７２２自体は、離間された偏光器を支持する、基板であってもよいことを理解されたい。そのような実施形態では、スペーサは、好ましくは、十分な剛性および機械的安定性を有するプレートの形態をとり、スペーサの両側にプリズムを伴わずに、離間された偏光器を支持する。図１７は、対向表面、すなわち、光学的に透過性のスペーサ８２０の面８２０ａおよび８２０ｂ上に２つの離間された偏光器７１０ａおよび７１０ｂを有する、プレートタイプビームスプリッタ８１０を図示する。光学的に透過性のスペーサ８２０は、例えば、ガラスまたは光学的に透過性のポリマーから形成されてもよい。ビームスプリッタ８１０は、いくつかの実施形態では、ディスプレイアセンブリ６００のビームスプリッタ６１０に取って代わってもよいことを理解されたい。
【００２８】
離間された偏光器７１０ａおよび７１０ｂは、本明細書に説明されるようなものであってもよい。前述のように、いくつかの実施形態では、偏光器７１０ａおよび７１０ｂは、例えば、平行ワイヤ（金属ワイヤ等）のパターンによって形成される、ワイヤグリッド偏光器であってもよい。いくつかの実施形態では、偏光器７１０ａおよび７１０ｂは、薄膜ＰＢＳコーティング（例えば、ＭａｃＮｅｉｌｌｅ  ＰＢＳ等のダイクロイックコーティング）であってもよい。いくつかの他の実施形態では、偏光器７１０ａおよび７１０ｂは、多層複屈折スタックであってもよい。偏光器７１０ａおよび７１０ｂは、同一タイプの偏光器であってもよい（例えば、偏光器７１０ａおよび７１０ｂの両方が、ワイヤグリッド偏光器であってもよい）。いくつかの他の実施形態では、偏光器７１０ａおよび７１０ｂは、異なるタイプの偏光器であってもよい（例えば、一方は、ワイヤグリッド偏光器であってもよく、他方は、薄膜ＰＢＳコーティングであってもよい）。
【００２９】
図１７を継続して参照すると、スペーサ８２０は、いくつかの実施形態では、長方形プレートの形状を有してもよく、プレートは、平坦であってもよい。対向面８２０ａおよび８２０ｂはそれぞれ、平面であってもよく、相互に略平行であってもよく、これは、ひいては、偏光器７１０ａおよび７１０ｂを相互に略平行に配向させ得る。
【００３０】
いくつかの他の実施形態では、スペーサ８２０は、湾曲されたプレートの形状を有してもよい。図１８は、スペーサ８２０の対向表面８２０ａおよび８２０ｂ上に２つの離間された偏光器７１０ａおよび７１０ｂを有する、湾曲プレートタイプビームスプリッタ８１０を図示する。図示されるように、スペーサ８２０は、スペーサ８２０の長さ寸法に沿って湾曲されてもよい。いくつかの実施形態では、対向表面８２０ａおよび８２０ｂは、偏光器７１０ａおよび７１０ｂと同様に、相互に略平行である。いくつかの実施形態では、スペーサ８２０は、偏光器７１０ａおよび７１０ｂのための曲率を提供し、次いで、有利には、偏光器７１０ａおよび７１０ｂから反射された光を成形するビームの程度を提供し得るように、湾曲されてもよいことを理解されたい。
【００３１】
本明細書に議論されるように、スペーサ８２０は、ある場合には、表面８２０ａと８２０ｂとの間で前後に反射する光を伴って、導波管として望ましくなく作用し得る。そのような反射を低減させるために、反射防止偏光器が、いくつかの実施形態では、スペーサ８２０内に提供されてもよい。図１９は、介在反射防止偏光器７４０を含有する、プレートタイプビームスプリッタ８１０を図示する。反射防止偏光器７４０は、本明細書に説明されるようなものであってもよい。例えば、反射防止偏光器７４０は、いくつかの実施形態では、吸収性偏光器であってもよい。いくつかの他の実施形態では、反射防止偏光器７４０は、本明細書に開示されるように、ｅ−モード偏光器、ｏ−モード偏光器、または色選択性を伴う偏光スタックであってもよい。いくつかの実施形態では、反射防止偏光器７４０は、前述の偏光器および／または偏光スタックの組み合わせであってもよい。
【００３２】
図１９を継続して参照すると、反射防止偏光器７４０は、完全または部分的にのみ、プレートタイプビームスプリッタ８１０の長さに沿って延在してもよい。いくつかの実施形態では、反射防止偏光器７４０は、スペーサ８２０を２つの部分８２０ａおよび８２０ｂに分割してもよい。これらの部分は、例えば、屈折率整合接着剤等の光学的に透過性の接着剤によって、ともに継合されてもよい。例証を容易にするために、平坦プレートとして示されるが、スペーサ８２０はまた、上記の図１８を参照して説明されるように、湾曲されてもよいことを理解されたい。そのような実施形態では、反射防止偏光器７４０は、スペーサ８２０の曲線に追従してもよい。
（例示的ディスプレイシステム）
【００３３】
ＰＢＳアセンブリは、小体積アセンブリが所望される、種々の照明用途において利用されてもよいことを理解されたい。例えば、ＰＢＳアセンブリは、有利には、ポータブル、例えば、頭部搭載型のディスプレイシステム内で利用されてもよい。
【００３４】
いくつかの実施形態では、ＰＢＳアセンブリは、拡張または仮想現実ディスプレイシステム内の画像生成のために使用されてもよい。いくつかの実施形態では、これらのディスプレイシステムは、ウェアラブルおよびポータブルであってもよく、画像を複数の深度平面上に提示してもよい。
【００３５】
図１を参照すると、拡張現実場面１が、描写される。現代のコンピューティングおよびディスプレイ技術は、いわゆる「仮想現実」または「拡張現実」体験のためのシステムの開発を促進しており、デジタル的に再現された画像またはその一部が、現実であるように見える、もしくはそのように知覚され得る様式でユーザに提示されることを理解されたい。仮想現実または「ＶＲ」シナリオは、典型的には、他の実際の実世界の視覚的入力に対する透明性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴うことを理解されたい。複合現実または「ＭＲ」シナリオは、一種のＡＲシナリオであって、典型的には、自然世界の中に統合され、それに応答する、仮想オブジェクトを伴う。例えば、ＭＲシナリオは、実世界内のオブジェクトによってブロックされて見える、または別様にそれと相互作用するように知覚される、ＡＲ画像コンテンツを含んでもよい。
【００３６】
図１を継続して参照すると、拡張現実場面１が、描写されている。ＡＲ技術のユーザには、背景における人々、木々、建物を特徴とする実世界公園状設定１１００と、コンクリートプラットフォーム１１２０とが見える。これらのアイテムに加え、ＡＲ技術のユーザはまた、実世界プラットフォーム１１２０上に立っているロボット像１１１０と、マルハナバチの擬人化のように見える、飛んでいる漫画のようなアバタキャラクタ１１３０とを「見ている」と知覚するが、これらの要素１１３０、１１１０は、実世界には存在しない。ヒトの視知覚系は、複雑であって、他の仮想または実世界画像要素間における仮想画像要素の快適で、自然のような感覚で、かつ豊かな提示を促進する、ＶＲまたはＡＲ技術の生成は、困難である。
【００３７】
図２は、ウェアラブルディスプレイシステム８０の実施例を図示する。ディスプレイシステム８０は、ディスプレイ６２と、そのディスプレイ６２の機能をサポートするための種々の機械的および電子モジュールならびにシステムとを含む。ディスプレイ６２は、フレーム６４に結合されてもよく、これは、ディスプレイシステムユーザまたは視認者６０によって装着可能であって、ディスプレイ６２をユーザ６０の眼の正面に位置付けるように構成される。ディスプレイ６２は、いくつかの実施形態では、アイウェアと見なされてもよい。いくつかの実施形態では、スピーカ６６が、フレーム６４に結合され、ユーザ６０の外耳道に隣接して位置付けられる（いくつかの実施形態では、示されない別のスピーカが、ユーザの他方の外耳道に隣接して位置付けられ、ステレオ／成形可能音制御を提供する）。いくつかの実施形態では、ディスプレイシステムはまた、１つまたはそれを上回るマイクロホン６７または他のデバイスを含み、音を検出してもよい。いくつかの実施形態では、マイクロホンは、ユーザが、入力またはコマンドをシステム８０に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。
【００３８】
図２を継続して参照すると、ディスプレイ６２は、有線導線または無線コネクティビティ等によって、ローカルデータ処理モジュール７０に動作可能に結合され６８、これは、フレーム６４に固定して取り付けられる、ユーザによって装着されるヘルメットまたは帽子に固定して取り付けられる、ヘッドホン内に埋設される、または別様にユーザ６０に除去可能に取り付けられる（例えば、リュック式構成、ベルト結合式構成において）等、種々の構成で搭載されてもよい。ローカル処理およびデータモジュール７０は、ハードウェアプロセッサならびに不揮発性メモリ（例えば、フラッシュメモリまたはハードディスクドライブ）等のデジタルメモリを備えてもよく、両方とも、データの処理、キャッシュ、および記憶を補助するために利用されてもよい。データは、ａ）画像捕捉デバイス（カメラ等）、マイクロホン、慣性測定ユニット、加速度計、コンパス、ＧＰＳユニット、無線デバイス、および／またはジャイロスコープ等のセンサ（例えば、フレーム６４に動作可能に結合される、または別様にユーザ６０に取り付けられ得る）から捕捉された、および／またはｂ）可能性として処理または読出後にディスプレイ６２への通過のための遠隔処理モジュール７２および／または遠隔データリポジトリ７４を使用して取得および／または処理された、データを含む。ローカル処理およびデータモジュール７０は、これらの遠隔モジュール７２、７４が相互に動作可能に結合され、ローカル処理およびデータモジュール７０に対するリソースとして利用可能であるように、有線または無線通信リンクを介して等、通信リンク７６、７８によって、遠隔処理モジュール７２および遠隔データリポジトリ７４に動作可能に結合されてもよい。いくつかの実施形態では、場所処理およびデータモジュール７０は、画像捕捉デバイス、マイクロホン、慣性測定ユニット、加速度計、コンパス、ＧＰＳユニット、無線デバイス、および／またはジャイロスコープのうちの１つまたはそれを上回るものを含んでもよい。いくつかの他の実施形態では、これらのセンサのうちの１つもしくはそれを上回るものは、フレーム６４に取り付けられてもよい、または有線もしくは無線通信経路によって場所処理およびデータモジュール７０と通信する、独立構造であってもよい。
【００３９】
図２を継続して参照すると、いくつかの実施形態では、遠隔処理モジュール７２は、データおよび／または画像情報を分析ならびに処理するように構成される、１つまたはそれを上回るプロセッサを備えてもよい。いくつかの実施形態では、遠隔データリポジトリ７４は、インターネットまたは「クラウド」リソース構成における他のネットワーキング構成を通して利用可能であり得る、デジタルデータ記憶設備を備えてもよい。いくつかの実施形態では、遠隔データリポジトリ７４は、情報、例えば、拡張現実コンテンツを生成するための情報をローカル処理およびデータモジュール７０および／または遠隔処理モジュール７２に提供する、１つまたはそれを上回る遠隔サーバを含んでもよい。いくつかの実施形態では、全てのデータが、記憶され、全ての計算は、ローカル処理およびデータモジュール内で行われ、遠隔モジュールからの完全に自律的な使用を可能にする。
【００４０】
ここで図３を参照すると、「３次元」または「３−Ｄ」としての画像の知覚は、視認者の各眼への画像の若干異なる提示を提供することによって達成され得る。図３は、ユーザに関する３次元画像をシミュレートするための従来のディスプレイシステムを図示する。眼４、６毎に１つの２つの明確に異なる画像５、７が、ユーザに出力される。画像５、７は、視認者の視線と平行な光学軸またはｚ−軸に沿って距離１０だけ眼４、６から離間される。画像５、７は、平坦であって、眼４、６は、単一の遠近調節された状態をとることによって、画像上に合焦し得る。そのようなシステムは、ヒト視覚系に依拠し、画像５、７を組み合わせ、組み合わせられた画像の深度および／またはスケールの知覚を提供する。
【００４１】
しかしながら、ヒト視覚系は、より複雑であって、深度の現実的知覚を提供することは、より困難であることを理解されたい。例えば、従来の「３−Ｄ」ディスプレイシステムの多くの視認者は、そのようなシステムが不快であることを見出す、または深度の感覚を全く知覚しない場合がある。理論によって限定されるわけではないが、オブジェクトの視認者は、輻輳・開散運動（ｖｅｒｇｅｎｃｅ）および遠近調節（ａｃｃｏｍｍｏｄａｔｉｏｎ）の組み合わせに起因して、オブジェクトを「３次元」として知覚し得ると考えられる。相互に対する２つの眼の輻輳・開散運動の移動（すなわち、眼の視線を収束させ、オブジェクトに固定させるための相互に向かって、またはそこから離れる瞳孔の転動移動）は、眼の水晶体および瞳孔の集束（または「遠近調節」）と密接に関連付けられる。通常条件下では、眼の水晶体の焦点を変化させる、または眼を遠近調節し、異なる距離における１つのオブジェクトから別のオブジェクトに焦点を変化させることは、「遠近調節−輻輳・開散運動反射」ならびに瞳孔拡張または収縮として知られる関係下、同一距離までの輻輳・開散運動における整合的変化を自動的に生じさせるであろう。同様に、輻輳・開散運動における変化は、正常条件下では、水晶体形状および瞳孔サイズの遠近調節における整合的変化を誘起するであろう。本明細書に記載されるように、多くの立体視または「３−Ｄ」ディスプレイシステムは、３次元視点がヒト視覚系によって知覚されるように、各眼への若干異なる提示（したがって、若干異なる画像）を使用して、場面を表示する。しかしながら、そのようなシステムは、とりわけ、単に、場面の異なる提示を提供するが、眼が全画像情報を単一の遠近調節された状態において視認すると、「遠近調節−輻輳・開散運動反射」に対抗して機能するため、多くの視認者にとって不快である。遠近調節と輻輳・開散運動との間のより優れた整合を提供するディスプレイシステムは、３次元画像のより現実的かつ快適なシミュレーションを形成し得る。
【００４２】
図４は、複数の深度平面を使用して３次元画像をシミュレートするためのアプローチの側面を図示する。図４を参照すると、ｚ−軸上の眼４および６からの種々の距離におけるオブジェクトは、それらのオブジェクトが合焦するように、眼４、６によって遠近調節される。眼（４、６）は、特定の遠近調節された状態をとり、ｚ−軸に沿って異なる距離においてオブジェクトに合焦させる。その結果、特定の遠近調節された状態は、特定の深度平面におけるオブジェクトまたはオブジェクトの一部が、眼がその深度平面のための遠近調節された状態にあるとき合焦するように、関連付けられた焦点距離を有する、深度平面１４のうちの特定の１つと関連付けられると言え得る。いくつかの実施形態では、３次元画像は、眼４、６毎に画像の異なる提示を提供することによって、また、深度平面のそれぞれに対応する画像の異なる提示を提供することによってシミュレートされてもよい。例証を明確にするために、別個であるように示されるが、眼４、６の視野は、例えば、ｚ−軸に沿った距離が増加するにつれて重複し得ることを理解されたい。加えて、例証を容易にするために、平坦として示されるが、深度平面の輪郭は、深度平面内の全ての特徴が特定の遠近調節された状態における眼と合焦するように、物理的空間内で湾曲され得ることを理解されたい。
【００４３】
オブジェクトと眼４または６との間の距離はまた、その眼によって視認されるようなそのオブジェクトからの光の発散の量を変化させることができる。図５Ａ−５Ｃは、距離と光線の発散との間の関係を図示する。オブジェクトと眼４との間の距離は、減少距離Ｒ１、Ｒ２、およびＲ３の順序で表される。図５Ａ−５Ｃに示されるように、光線は、オブジェクトまでの距離が減少するにつれてより発散する。距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率は、オブジェクトと眼４との間の距離の減少に伴って増加する。その結果、異なる深度平面では、光線の発散度もまた、異なり、発散度は、深度平面と視認者の眼４との間の距離の減少に伴って増加する。単眼４のみが、例証を明確にするために、図５Ａ−５Ｃおよび本明細書の他の図に図示されるが、眼４に関する議論は、視認者の両眼４および６に適用され得ることを理解されたい。
【００４４】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。異なる提示は、視認者の眼によって別個に集束され、それによって、異なる深度平面上に位置する場面のための異なる画像特徴に合焦させるために要求される眼の遠近調節に基づいて、および／または焦点がずれている異なる深度平面上の異なる画像特徴の観察に基づいて、ユーザに深度合図を提供することに役立ててもよい。
【００４５】
図６は、画像情報をユーザに出力するための導波管スタックの実施例を図示する。ディスプレイシステム１０００は、複数の導波管１８２、１８４、１８６、１８８、１９０を使用して３次元知覚を眼／脳に提供するために利用され得る、導波管のスタックまたはスタックされた導波管アセンブリ１７８を含む。いくつかの実施形態では、ディスプレイシステム１０００は、図２のシステム８０であって、図６は、そのシステム８０のいくつかの部分をより詳細に図式的に示す。例えば、導波管アセンブリ１７８は、図２のディスプレイ６２の一部であってもよい。ディスプレイシステム２５０は、いくつかの実施形態では、ライトフィールドディスプレイと見なされてもよいことを理解されたい。
【００４６】
図６を継続して参照すると、導波管アセンブリ１７８はまた、複数の特徴１９８、１９６、１９４、１９２を導波管間に含んでもよい。いくつかの実施形態では、特徴１９８、１９６、１９４、１９２は、１つまたはそれを上回るレンズであってもよい。導波管１８２、１８４、１８６、１８８、１９０および／または複数のレンズ１９８、１９６、１９４、１９２は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス２００、２０２、２０４、２０６、２０８は、導波管のための光源として機能してもよく、画像情報を導波管１８２、１８４、１８６、１８８、１９０の中に投入するために利用されてもよく、それぞれ、本明細書に説明されるように、眼４に向かって出力のために各個別の導波管を横断して入射光を分散させるように構成されてもよい。光は、画像投入デバイス２００、２０２、２０４、２０６、２０８の出力表面３００、３０２、３０４、３０６、３０８から出射し、導波管１８２、１８４、１８６、１８８、１９０の対応する入力表面３８２、３８４、３８６、３８８、３９０の中に投入される。いくつかの実施形態では、入力表面３８２、３８４、３８６、３８８、３９０はそれぞれ、対応する導波管の縁であってもよい、または対応する導波管の主要表面の一部（すなわち、世界１４４または視認者の眼４に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼４に向かって指向される。いくつかの実施形態では、画像投入デバイス２００、２０２、２０４、２０６、２０８のうちの単一の１つは、複数（例えば、３つ）の導波管１８２、１８４、１８６、１８８、１９０と関連付けられ、その中に光を投入してもよい。
【００４７】
いくつかの実施形態では、画像投入デバイス２００、２０２、２０４、２０６、２０８はそれぞれ、それぞれが対応する導波管１８２、１８４、１８６、１８８、１９０の中への投入のために画像情報を生成する、離散ディスプレイである。いくつかの他の実施形態では、画像投入デバイス２００、２０２、２０４、２０６、２０８は、例えば、画像情報を１つまたはそれを上回る光学導管（光ファイバケーブル等）を介して画像投入デバイス２００、２０２、２０４、２０６、２０８のそれぞれに送り得る、単一の多重化されたディスプレイの出力端である。画像投入デバイス２００、２０２、２０４、２０６、２０８によって提供される画像情報は、異なる波長または色（例えば、本明細書に議論されるように、異なる原色）の光を含んでもよいことを理解されたい。
【００４８】
いくつかの実施形態では、導波管１８２、１８４、１８６、１８８、１９０の中に投入される光は、発光ダイオード（ＬＥＤ）または蛍光灯等の光源を含み得る、光出力モジュール２０９ａを備える、ＰＢＳディスプレイアセンブリ２０９によって提供される。ＰＢＳディスプレイアセンブリ２０９は、ＰＢＳディスプレイアセンブリ６００（図１２）および７００（図１５および１６）に対応してもよく、光出力モジュール２０９ａは、光源６２０に対応し、光変調器２０９ｃは、ＰＢＳディスプレイアセンブリ６００（図１２）および７００（図１５および１６）の光変調器に対応することを理解されたい。光出力モジュール２０９ａからの光は、光変調器２０９ｃ、例えば、空間光変調器によって、ＰＢＳ２０９ｂを介して、指向および修正されてもよい。光変調器２０９ｃは、導波管１８２、１８４、１８６、１８８、１９０の中に投入される光の知覚される強度を変化させるように構成されてもよい。空間光変調器の実施例は、シリコン上液晶（ＬＣＯＳ）ディスプレイを含む、液晶ディスプレイ（ＬＣＤ）を含む。画像投入デバイス３６０、３７０、３８０、３９０、４００は、図式的に図示され、いくつかの実施形態では、これらの画像投入デバイスは、光を導波管２７０、２８０、２９０、３００、３１０の関連付けられたものの中に出力するように構成される、共通投影システム内の異なる光経路および場所を表してもよいことを理解されたい。
【００４９】
コントローラ２１０は、画像投入デバイス２００、２０２、２０４、２０６、２０８と、光源２０９ａと、光変調器２０９ｂとの動作を含む、スタックされた導波管アセンブリ１７８の１つまたはそれを上回るものの動作を制御する。いくつかの実施形態では、コントローラ２１０は、ローカルデータ処理モジュール７０の一部である。コントローラ２１０は、例えば、本明細書に開示される種々のスキームのいずれかに従って、導波管１８２、１８４、１８６、１８８、１９０への画像情報のタイミングおよびプロビジョニングを調整する、プログラミング（例えば、非一過性媒体内の命令）を含む。いくつかの実施形態では、コントローラは、単一の一体型デバイスまたは有線もしくは無線通信チャネルによって接続される分散型システムであってもよい。コントローラ２１０は、いくつかの実施形態では、処理モジュール７０または７２（図１）の一部であってもよい。
【００５０】
図６を継続して参照すると、導波管１８２、１８４、１８６、１８８、１９０は、全内部反射（ＴＩＲ）によって各個別の導波管内で光を伝搬するように構成されてもよい。導波管１８２、１８４、１８６、１８８、１９０はそれぞれ、主要な上部および底部表面ならびにそれらの主要上部表面と底部表面との間に延在する縁を伴う、平面であってもよいか、または、別の形状（例えば、湾曲）を有してもよい。図示される構成では、導波管１８２、１８４、１８６、１８８、１９０はそれぞれ、各個別の導波管内で伝搬する光を導波管から再指向し、画像情報を眼４に出力することによって、光を導波管から抽出するように構成される、外部結合光学要素２８２、２８４、２８６、２８８、２９０を含んでもよい。抽出された光はまた、外部結合光と称され得、光を外部結合する光学要素はまた、光抽出光学要素と称され得る。抽出された光のビームは、導波管によって、導波管内を伝搬する光が光抽出光学要素に衝打する場所において出力される。外部結合光学要素２８２、２８４、２８６、２８８、２９０は、例えば、本明細書にさらに議論されるような回折光学特徴を含む、格子であってもよい。説明の容易性および図面の明確性のために、導波管１８２、１８４、１８６、１８８、１９０の底部主要表面に配置されて図示されるが、いくつかの実施形態では、外部結合光学要素２８２、２８４、２８６、２８８、２９０は、本明細書にさらに議論されるように、上部および／または底部主要表面に配置されてもよい、ならびに／もしくは導波管１８２、１８４、１８６、１８８、１９０の体積内に直接配置されてもよい。いくつかの実施形態では、外部結合光学要素２８２、２８４、２８６、２８８、２９０は、透明基板に取り付けられ、導波管１８２、１８４、１８６、１８８、１９０を形成する、材料の層内に形成されてもよい。いくつかの他の実施形態では、導波管１８２、１８４、１８６、１８８、１９０は、材料のモノリシック部品であってもよく、外部結合光学要素２８２、２８４、２８６、２８８、２９０は、材料のその部品の表面上および／またはその内部に形成されてもよい。
【００５１】
図６を継続して参照すると、本明細書に議論されるように、各導波管１８２、１８４、１８６、１８８、１９０は、光を出力し、特定の深度平面に対応する画像を形成するように構成される。例えば、眼の最近傍の導波管１８２は、そのような導波管１８２の中に投入されるにつれて、コリメートされた光を眼４に送達するように構成されてもよい。コリメートされた光は、光学無限遠焦点面を表し得る。次の上方の導波管１８４は、眼４に到達し得る前に、第１のレンズ１９２（例えば、負のレンズ）を通して通過する、コリメートされた光を送出するように構成されてもよい。そのような第１のレンズ１９２は、眼／脳が、その次の上方の導波管１８４から生じる光を光学無限遠から眼４に向かって内向きにより近い第１の焦点面から生じるように解釈するように、若干の凸面波面曲率を生成するように構成されてもよい。同様に、第３の上方の導波管１８６は、眼４に到達する前に、その出力光を第１のレンズ１９２および第２のレンズ１９４の両方を通して通過させる。第１のレンズ１９２および第２のレンズ１９４の組み合わせられた屈折力は、眼／脳が、第３の導波管１８６から生じる光が次の上方の導波管１８４からの光であったよりも光学無限遠から人物に向かって内向きにさらに近い第２の焦点面から生じるように解釈するように、別の漸増量の波面曲率を生成するように構成されてもよい。
【００５２】
他の導波管層１８８、１９０およびレンズ１９６、１９８も同様に構成され、スタック内の最高導波管１９０は、人物に最も近い焦点面を表す集約焦点力のために、その出力をそれと眼との間のレンズの全てを通して送出する。スタックされた導波管アセンブリ１７８の他側の世界１４４から生じる光を視認／解釈するとき、レンズ１９８、１９６、１９４、１９２のスタックを補償するために、補償レンズ層１８０が、スタックの上部に配置され、下方のレンズスタック１９８、１９６、１９４、１９２の集約力を補償してもよい。そのような構成は、利用可能な導波管／レンズ対と同じ数の知覚される焦点面を提供する。導波管の外部結合光学要素およびレンズの集束側面の両方とも、静的であってもよい（すなわち、動的または電気活性ではない）。いくつかの代替実施形態では、一方または両方とも、電気活性特徴を使用して動的であってもよい。
【００５３】
いくつかの実施形態では、導波管１８２、１８４、１８６、１８８、１９０のうちの２つまたはそれを上回るものは、同一の関連付けられた深度平面を有してもよい。例えば、複数の導波管１８２、１８４、１８６、１８８、１９０が、同一深度平面に設定される画像を出力するように構成されてもよい、または導波管１８２、１８４、１８６、１８８、１９０の複数のサブセットが、深度平面毎に１つのセットを伴う、同一の複数の深度平面に設定される画像を出力するように構成されてもよい。これは、それらの深度平面において拡張された視野を提供するようにタイル化された画像を形成する利点を提供することができる。
【００５４】
図６を継続して参照すると、外部結合光学要素２８２、２８４、２８６、２８８、２９０は、導波管と関連付けられた特定の深度平面のために、光をその個別の導波管から再指向することと、本光を適切な量の発散またはコリメーションを伴って出力することとの両方を行うように構成されてもよい。その結果、異なる関連付けられた深度平面を有する導波管は、外部結合光学要素２８２、２８４、２８６、２８８、２９０の異なる構成を有してもよく、これは、関連付けられた深度平面に応じて、異なる量の発散を伴う光を出力する。いくつかの実施形態では、光抽出光学要素２８２、２８４、２８６、２８８、２９０は、特定の角度において光を出力するように構成され得る、立体または表面特徴であってもよい。例えば、光抽出光学要素２８２、２８４、２８６、２８８、２９０は、体積ホログラム、表面ホログラム、および／または回折格子であってもよい。いくつかの実施形態では、特徴１９８、１９６、１９４、１９２は、レンズではなくてもよい。むしろ、それらは、単に、スペーサ（例えば、クラッディング層および／または空隙を形成するための構造）であってもよい。
【００５５】
いくつかの実施形態では、外部結合光学要素２８２、２８４、２８６、２８８、２９０は、回折パターンまたは「回折光学要素」（また、本明細書では、「ＤＯＥ」とも称される）を形成する、回折特徴である。好ましくは、ＤＯＥは、ビームの光の一部のみがＤＯＥの各交差点を用いて眼４に向かって偏向される一方、残りが全内部反射を介して導波管を通して移動し続けるように、十分に低い回折効率を有する。画像情報を搬送する光は、したがって、様々な場所において導波管から出射するいくつかの関連出射ビームに分割され、その結果、導波管内でバウンスする本特定のコリメートされたビームに関して、眼４に向かって非常に均一パターンの出射放出となる。
【００５６】
いくつかの実施形態では、１つまたはそれを上回るＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられることができる（その場合、パターンは、入射光を著しく回折させない）、または微小液滴は、ホスト媒体のものに整合しない屈折率に切り替えられることができる（その場合、パターンは、入射光を能動的に回折させる）。
【００５７】
図７は、導波管によって出力された出射ビームの実施例を示す。１つの導波管が図示されるが、導波管アセンブリ１７８内の他の導波管も同様に機能し得、導波管アセンブリ１７８は、複数の導波管を含むことを理解されたい。光４００が、導波管１８２の入力表面３８２において導波管１８２の中に投入され、ＴＩＲによって導波管１８２内を伝搬する。光４００がＤＯＥ２８２上に衝突する点では、光の一部は、導波管から出射ビーム４０２として出射する。出射ビーム４０２は、略平行として図示されるが、本明細書に議論されるように、また、導波管１８２と関連付けられた深度平面に応じて、ある角度（例えば、発散出射ビームを形成する）において眼４に伝搬するように再指向されてもよい。略平行出射ビームは、眼４からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼４がより近い距離に遠近調節し、網膜に合焦させることを要求し、光学無限遠より眼４に近い距離からの光として脳によって解釈されるであろう。
【００５８】
いくつかの実施形態では、フルカラー画像が、原色、例えば、３つまたはそれを上回る原色のそれぞれに画像をオーバーレイすることによって、各深度平面において形成されてもよい。図９は、スタックされた導波管アセンブリの実施例を図示し、各深度平面は、複数の異なる原色を使用して形成される画像を含む。図示される実施形態は、深度平面１４ａ−１４ｆを示すが、より多いまたはより少ない深度もまた、検討される。各深度平面は、それと関連付けられた３つの原色画像、すなわち、第１の色Ｇの第１の画像、第２の色Ｒの第２の画像、および第３の色Ｂの第３の画像を有してもよい。異なる深度平面は、文字Ｇ、Ｒ、およびＢに続くジオプタに関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色のための深度平面の正確な設置は、変動してもよい。例えば、所与の深度平面のための異なる原色画像は、ユーザからの異なる距離に対応する深度平面上に設置されてもよい。そのような配列は、視力およびユーザ快適性を増加させ得、および／または色収差を減少させ得る。
【００５９】
いくつかの実施形態では、各原色の光は、単一専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【００６０】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の導波管と関連付けられた他の色も、加えて使用されてもよい、または赤色、緑色、もしくは青色のうちの１つまたはそれを上回るものに取って代わってもよい。
【００６１】
本開示全体を通した所与の光の色の言及は、その所与の色として視認者によって知覚される、光の波長の範囲内の１つまたはそれを上回る波長の光を包含するものと理解されると理解されたい。例えば、赤色光は、約６２０〜７８０ｎｍの範囲内である１つまたはそれを上回る波長の光を含んでもよく、緑色光は、約４９２〜５７７ｎｍの範囲内である１つまたはそれを上回る波長の光を含んでもよく、青色光は、約４３５〜４９３ｎｍの範囲内である１つまたはそれを上回る波長の光を含んでもよい。
【００６２】
ここで図９Ａを参照すると、いくつかの実施形態では、導波管に衝突する光は、その光を導波管の中に内部結合するために再指向される必要があり得る。内部結合光学要素が、光をその対応する導波管の中に再指向および内部結合するために使用されてもよい。図９Ａは、それぞれが内部結合光学要素を含む複数またはセット１２００のスタックされた導波管の実施例の断面側面図を図示する。導波管はそれぞれ、１つもしくはそれを上回る異なる波長または１つもしくはそれを上回る異なる波長範囲の光を出力するように構成されてもよい。スタック１２００は、スタック１７８（図６）に対応してもよく、スタック１２００の図示される導波管は、複数の導波管１８２、１８４、１８６、１８８、１９０の一部に対応してもよいが、画像投入デバイス２００、２０２、２０４、２０６、２０８のうちの１つまたはそれを上回るものからの光が、光が内部結合のために再指向されることを要求する位置から導波管の中に投入されることを理解されたい。
【００６３】
スタックされた導波管の図示されるセット１２００は、導波管１２１０、１２２０、および１２３０を含む。各導波管は、関連付けられた内部結合光学要素を含み、例えば、内部結合光学要素１２１２は、導波管１２１０の主要表面（例えば、上側主要表面）上に配置され、内部結合光学要素１２２４は、導波管１２２０の主要表面（例えば、上側主要表面）上に配置され、内部結合光学要素１２３２は、導波管１２３０の主要表面（例えば、上側主要表面）上に配置される。いくつかの実施形態では、内部結合光学要素１２１２、１２２２、１２３２のうちの１つまたはそれを上回るものは、個別の導波管１２１０、１２２０、１２３０の底部主要表面上に配置されてもよい（特に、１つまたはそれを上回る内部結合光学要素は、反射性偏向光学要素である）。図示されるように、内部結合光学要素１２１２、１２２２、１２３２は、その個別の導波管１２１０、１２２０、１２３０の上側主要表面（または次の下側導波管の上部）上に配置されてもよく、特に、それらの内部結合光学要素は、透過性偏向光学要素である。いくつかの実施形態では、内部結合光学要素１２１２、１２２２、１２３２は、個別の導波管１２１０、１２２０、１２３０の本体内に配置されてもよい。いくつかの実施形態では、本明細書に議論されるように、内部結合光学要素１２１２、１２２２、１２３２は、他の光の波長を透過させながら、１つまたはそれを上回る光の波長を選択的に再指向するような波長選択的である。その個別の導波管１２１０、１２２０、１２３０の片側または角に図示されるが、内部結合光学要素１２１２、１２２２、１２３２は、いくつかの実施形態では、その個別の導波管１２１０、１２２０、１２３０の他の面積内に配置されてもよいことを理解されたい。
【００６４】
図示されるように、内部結合光学要素１２１２、１２２２、１２３２は、相互から側方にオフセットされてもよい。いくつかの実施形態では、各内部結合光学要素は、光が別の内部結合光学要素を通して通過せずに、光を受信するように、オフセットされてもよい。例えば、各内部結合光学要素１２１２、１２２２、１２３２は、光を異なる画像投入デバイス１２１３、１２２３、１２３３から受信するように構成されてもよく、光を内部結合光学要素１２１２、１２２２、１２３２の他のものから実質的に受信しないように、他の内部結合光学要素１２１２、１２２２、１２３２から分離（例えば、側方に離間）されてもよい。
【００６５】
各導波管はまた、関連付けられた光分散要素を含み、例えば、光分散要素１２１４は、導波管１２１０の主要表面（例えば、上部主要表面）上に配置され、光分散要素１２２４は、導波管１２２０の主要表面（例えば、上部主要表面）上に配置され、光分散要素１２３４は、導波管１２３０の主要表面（例えば、上部主要表面）上に配置される。いくつかの他の実施形態では、光分散要素１２１４、１２２４、１２３４は、それぞれ、関連付けられた導波管１２１０、１２２０、１２３０の底部主要表面上に配置されてもよい。いくつかの他の実施形態では、光分散要素１２１４、１２２４、１２３４は、それぞれ、関連付けられた導波管１２１０、１２２０、１２３０の上部および底部両方の主要表面上に配置されてもよい、または光分散要素１２１４、１２２４、１２３４は、それぞれ、異なる関連付けられた導波管１２１０、１２２０、１２３０内の上部および底部主要表面の異なるもの上に配置されてもよい。
【００６６】
導波管１２１０、１２２０、１２３０は、ガスおよび／または材料の固体層によって離間ならびに分離されてもよい。例えば、図示されるように、層１２１８ａは、導波管１２１０および１２２０を分離してもよく、層１２１８ｂは、導波管１２２０および１２３０を分離してもよい。いくつかの実施形態では、層１２１８ａおよび１２１８ｂは、低屈折率材料（すなわち、導波管１２１０、１２２０、１２３０の直近のものを形成する材料より低い屈折率を有する材料）から形成される。好ましくは、層１２１８ａ、１２１８ｂを形成する材料の屈折率は、導波管１２１０、１２２０、１２３０を形成する材料の屈折率を０．０５以上または０．１０以上下回る。有利には、より低い屈折率の層１２１８ａ、１２１８ｂは、導波管１２１０、１２２０、１２３０を通して光の全内部反射（ＴＩＲ）（例えば、各導波管の上部主要表面と底部主要表面との間のＴＩＲ）を促進する、クラッディング層として機能してもよい。いくつかの実施形態では、層１２１８ａ、１２１８ｂは、空気から形成される。図示されないが、導波管の図示されるセット１２００の上部および底部は、直近クラッディング層を含んでもよいことを理解されたい。
【００６７】
好ましくは、製造および他の考慮点を容易にするために、導波管１２１０、１２２０、１２３０を形成する材料は、類似または同一であって、層１２１８ａ、１２１８ｂを形成する材料は、類似または同一である。いくつかの実施形態では、導波管１２１０、１２２０、１２３０を形成する材料は、１つまたはそれを上回る導波管間で異なってもよい、および／または層１２１８ａ、１２１８ｂを形成する材料は、依然として、前述の種々の屈折率関係を保持しながら、異なってもよい。
【００６８】
図９Ａを継続して参照すると、光線１２４０、１２４２、１２４４が、導波管のセット１２００に入射する。光線１２４０、１２４２、１２４４は、１つまたはそれを上回る画像投入デバイス２００、２０２、２０４、２０６、２０８（図６）によって導波管１２１０、１２２０、１２３０の中に投入されてもよいことを理解されたい。
【００６９】
いくつかの実施形態では、光線１２４０、１２４２、１２４４は、異なる色に対応し得る、異なる性質、例えば、異なる波長または異なる波長範囲を有する。内部結合光学要素１２１２、１２２、１２３２はそれぞれ、光が、ＴＩＲによって、導波管１２１０、１２２０、１２３０のうちの個別のものを通して伝搬するように、入射光を偏向させる。いくつかの実施形態では、内部結合光学要素１２１２、１２２、１２３２はそれぞれ、他の波長を下層導波管および関連付けられた内部結合光学要素に透過させながら、１つまたはそれを上回る特定の光の波長を選択的に偏向させる。
【００７０】
例えば、内部結合光学要素１２１２は、それぞれ、異なる第２および第３の波長または波長範囲を有する、光線１２４２および１２４４を透過させながら、第１の波長または波長範囲を有する、光線１２４０を偏向させるように構成されてもよい。透過された光線１２４２は、第２の波長または波長範囲の光を偏向させるように構成される、内部結合光学要素１２２２に衝突し、それによって偏向される。同様に、光線１２４４は、第３の波長または波長範囲の光を選択的に偏向させるように構成される、内部結合光学要素１２３２によって偏向される。
【００７１】
図９Ａを継続して参照すると、偏向された光線１２４０、１２４２、１２４４は、対応する導波管１２１０、１２２０、１２３０を通して伝搬するように偏向される。すなわち、各導波管の内部結合光学要素１２１２、１２２２、１２３２は、光をその対応する導波管１２１０、１２２０、１２３０の中に偏向させ、光を対応する導波管の中に内部結合する。光線１２４０、１２４２、１２４４は、光をＴＩＲによって個別の導波管１２１０、１２２０、１２３０を通して伝搬させる角度で偏向される。光線１２４０、１２４２、１２４４は、導波管の対応する光分散要素１２１４、１２２４、１２３４に衝突するまで、ＴＩＲによって、個別の導波管１２１０、１２２０、１２３０を通して伝搬する。
【００７２】
ここで図９Ｂを参照すると、図９Ａの複数のスタックされた導波管の実施例の斜視図が、図示される。前述のように、内部結合された光線１２４０、１２４２、１２４４は、それぞれ、内部結合光学要素１２１２、１２２２、１２３２によって偏向され、次いで、それぞれ、導波管１２１０、１２２０、１２３０内でＴＩＲによって伝搬する。光線１２４０、１２４２、１２４４は、次いで、それぞれ、光分散要素１２１４、１２２４、１２３４に衝突する。光分散要素１２１４、１２２４、１２３４は、それぞれ、外部結合光学要素１２５０、１２５２、１２５４に向かって伝搬するように、光線１２４０、１２４２、１２４４を偏向させる。
【００７３】
いくつかの実施形態では、光分散要素１２１４、１２２４、１２３４は、直交瞳拡大素子（ＯＰＥ）である。いくつかの実施形態では、ＯＰＥは、外部結合光学要素１２５０、１２５２、１２５４への光の偏向または分散の両方を行い、また、外部結合光学要素に伝搬するにつれて、本光のビームまたはスポットサイズを増加させる。いくつかの実施形態では、例えば、ビームサイズがすでに所望のサイズである場合、光分散要素１２１４、１２２４、１２３４は、省略されてもよく、内部結合光学要素１２１２、１２２２、１２３２は、光を直接外部結合光学要素１２５０、１２５２、１２５４に偏向させるように構成されてもよい。例えば、図９Ａを参照すると、光分散要素１２１４、１２２４、１２３４は、それぞれ、外部結合光学要素１２５０、１２５２、１２５４と置換されてもよい。いくつかの実施形態では、外部結合光学要素１２５０、１２５２、１２５４は、光を視認者の眼４（図７）に指向させる、射出瞳（ＥＰ）または射出瞳拡大素子（ＥＰＥ）である。ＯＰＥは、少なくとも１つの軸において、アイボックスの寸法を増加させるように構成されてもよく、ＥＰＥは、ＯＰＥの軸に交差する（例えば、直交する）軸において、アイボックスの寸法を増加させるように構成されてもよいことを理解されたい。例えば、各ＯＰＥは、光の残りの部分が導波管を辿って伝搬し続けることを可能にしながら、ＯＰＥに衝打する光の一部を同一導波管のＥＰＥに再指向するように構成されてもよい。ＯＰＥへの衝突に応じて、再び、残りの光の別の部分は、ＥＰＥに再指向され、その部分の残りの部分は、導波管を辿ってさらに伝搬し続ける等となる。同様に、ＥＰＥへの衝打に応じて、衝突光の一部は、導波管からユーザに向かって指向され、その光の残りの部分は、ＥＰに再び衝打するまで、導波管を通して伝搬し続け、その時点で、衝突する光の別の部分は、導波管から指向される等となる。その結果、内部結合された光の単一ビームは、その光の一部がＯＰＥまたはＥＰＥによって再指向される度に、「複製」され、それによって、図６に示されるように、クローン化された光のビーム野を形成し得る。いくつかの実施形態では、ＯＰＥおよび／またはＥＰＥは、光のビームのサイズを修正するように構成されてもよい。
【００７４】
故に、図９Ａおよび９Ｂを参照すると、いくつかの実施形態では、導波管のセット１２００は、原色毎に、導波管１２１０、１２２０、１２３０と、内部結合光学要素１２１２、１２２２、１２３２と、光分散要素（例えば、ＯＰＥ）１２１４、１２２４、１２３４と、外部結合光学要素（例えば、ＥＰ）１２５０、１２５２、１２５４とを含む。導波管１２１０、１２２０、１２３０は、各１つの間に空隙／クラッディング層を伴ってスタックされてもよい。内部結合光学要素１２１２、１２２２、１２３２は、入射光をその導波管の中に再指向または偏向させる（異なる波長の光を受信する異なる入射光学要素を用いて）。光は、次いで、個別の導波管１２１０、１２２０、１２３０内にＴＩＲをもたらすであろう角度で伝搬する。示される実施例では、光線１２４２（例えば、緑色光）は、前述の様式において、第１の内部結合光学要素（例えば、色フィルタ）１２１２によって偏向され、次いで、導波管を辿ってバウンスし続け、光分散要素（例えば、ＯＰＥ）１２１４、次いで、外部結合光学要素（例えば、ＥＰ）１２５０と相互作用するであろう。光線１２４２および１２４４（例えば、青色光および赤色光）は、導波管１２１０を通して通過し、光線１２４２は、内部結合光学要素１２２２に衝突し、それによって偏向される。光線１２４２は、次いで、ＴＩＲを介して、導波管１２２０を辿ってバウンスし、その光分散要素（例えば、ＯＰＥ）１２２４、次いで、外部結合光学要素（例えば、ＥＰ）１２５２に進むであろう。最後に、光線１２４４（例えば、赤色光）は、導波管１２２０を通して通過し、導波管１２３０の光内部結合光学要素１２３２に衝突する。光内部結合光学要素１２３２は、光線が、ＴＩＲによって、光分散要素（例えば、ＯＰＥ）１２３４に、次いで、ＴＩＲによって、外部結合光学要素（例えば、ＥＰ）１２５４に伝搬するように、光線１２４４を偏向させる。外部結合光学要素１２５４は、次いで、最後に、光線１２４４を視認者に外部結合し、視認者はまた、他の導波管１２１０、１２２０からの外部結合された光も受信する。
【００７５】
図９Ｃは、図９Ａおよび９Ｂの複数のスタックされた導波管の実施例の上下平面図を図示する。図示されるように、導波管１２１０、１２２０、１２３０は、各導波管の関連付けられた光分散要素１２１４、１２２４、１２３４および関連付けられた外部結合光学要素１２５０、１２５２、１２５４とともに、垂直に整合されてもよい。しかしながら、本明細書に議論されるように、内部結合光学要素１２１２、１２２２、１２３２は、垂直に整合されない。むしろ、内部結合光学要素は、好ましくは、非重複である（例えば、上下図に見られるように、側方に離間される）。本明細書でさらに議論されるように、本非重複空間配列は、１対１ベースで異なるリソースから異なる導波管の中への光の投入を促進し、それによって、特定の光源が特定の導波管に一意に結合されることを可能にする。いくつかの実施形態では、非重複の空間的に分離される内部結合光学要素を含む、配列は、偏移瞳システムと称され得、これらの配列内の内部結合要素は、サブ瞳に対応し得る。
【００７６】
本発明の種々の例示的実施形態が、本明細書で説明される。非限定的な意味で、これらの実施例を参照する。それらは、本発明のより広く適用可能な側面を例証するように提供される。種々の変更が、説明される本発明に行われてもよく、本発明の精神および範囲から逸脱することなく、均等物が置換されてもよい。
【００７７】
例えば、有利には、複数の深度平面を横断して画像を提供する、ＡＲディスプレイとともに利用されるが、本明細書に開示される拡張現実コンテンツはまた、画像を単一深度平面上に提供するシステムによって表示されてもよい。
【００７８】
加えて、特定の状況、材料、組成物、プロセス、プロセスの行為またはステップを、本発明の目的、精神、または範囲に適合させるように、多くの修正が行われてもよい。さらに、当業者によって理解されるように、本明細書で説明および図示される個々の変形例のそれぞれは、本発明の範囲または精神から逸脱することなく、他のいくつかの実施形態のうちのいずれかの特徴から容易に分離され得るか、またはそれらと組み合わせられ得る、離散構成要素および特徴を有する。全てのそのような修正は、本開示と関連付けられる請求項の範囲内であることを目的としている。
【００７９】
本発明は、本デバイスを使用して行われ得る方法を含む。本方法は、そのような好適なデバイスを提供する行為を含んでもよい。そのような提供は、ユーザによって行われてもよい。換言すると、「提供する」行為は、本方法において必要デバイスを提供するために、取得する、アクセスする、接近する、位置付ける、設定する、起動する、電源投入する、または別様に作用するようにユーザに要求するにすぎない。本明細書に記載される方法は、論理的に可能である記載された事象の任意の順序で、ならびに事象の記載された順序で実行されてもよい。
【００８０】
本発明の例示的側面が、材料選択および製造に関する詳細とともに、上記で記載されている。本発明の他の詳細に関して、これらは、上記の参照された特許および公開に関連して理解されるとともに、概して、当業者によって把握または理解され得る。同じことが、一般的または理論的に採用されるような付加的な行為の観点から、本発明の方法ベースの側面に関して当てはまり得る。
【００８１】
加えて、本発明は、種々の特徴を随意に組み込む、いくつかの実施例を参照して説明されているが、本発明は、本発明の各変形例に関して考慮されるように説明または指示されるものに限定されるものではない。種々の変更が、説明される本発明に行われてもよく、本発明の真の精神および範囲から逸脱することなく、（本明細書に記載されるか、またはいくらか簡潔にするために含まれないかどうかにかかわらず）均等物が置換されてもよい。加えて、値の範囲が提供される場合、その範囲の上限と下限との間の全ての介在値、およびその規定範囲内の任意の他の規定値または介在値が、本発明内に包含されることが理解される。
【００８２】
また、本明細書で説明される発明の変形例の任意の随意的な特徴が、独立して、または本明細書で説明される特徴のうちのいずれか１つまたはそれを上回る特徴と組み合わせて、記載および請求され得ることが考慮される。単数形の項目の言及は、複数の同一項目が存在する可能性を含む。より具体的には、本明細書で、およびそれに関連付けられる請求項で使用されるように、「１つの（ａ、ａｎ）」、「該（ｓａｉｄ）」、および「該（ｔｈｅ）」という単数形は、特に別様に記述されない限り、複数の指示対象を含む。換言すると、冠詞の使用は、上記の説明ならびに本開示と関連付けられる請求項で、対象項目の「少なくとも１つ」を可能にする。さらに、そのような請求項は、任意の随意的な要素を除外するように起草され得ることに留意されたい。したがって、この記述は、請求項要素の記載に関連する「だけ」、「のみ」、および同等物等のそのような排他的用語の使用、または「否定的」制限の使用のための先行詞としての機能を果たすことを目的としている。
【００８３】
そのような排他的用語を使用することなく、本開示と関連付けられる請求項での「備える」という用語は、所与の数の要素がそのような請求項で列挙されるか、または特徴の追加をそのような請求項に記載される要素の性質を変換するものと見なすことができるかどうかにかかわらず、任意の付加的な要素の包含を可能にするものとする。本明細書で特に定義される場合を除いて、本明細書で使用される全ての技術および科学用語は、請求項の有効性を維持しながら、可能な限り広義の一般的に理解されている意味を与えられるものである。
【図１】
2019512108.tif 000003
【図２】
2019512108.tif 000004
【図３】
2019512108.tif 000005
【図４】
2019512108.tif 000006
【図５Ａ】
2019512108.tif 000007
【図５Ｂ】
2019512108.tif 000008
【図５Ｃ】
2019512108.tif 000009
【図６】
2019512108.tif 000010
【図７】
2019512108.tif 000011
【図８】
2019512108.tif 000012
【図９Ａ】
2019512108.tif 000013
【図９Ｂ】
2019512108.tif 000014
【図９Ｃ】
2019512108.tif 000015
【図１０】
2019512108.tif 000016
【図１１】
2019512108.tif 000017
【図１２】
2019512108.tif 000018
【図１３】
2019512108.tif 000019
【図１４Ａ】
2019512108.tif 000020
【図１４Ｂ】
2019512108.tif 000021
【図１４Ｃ】
2019512108.tif 000022
【図１５】
2019512108.tif 000023
【図１６】
2019512108.tif 000024
【図１７】
2019512108.tif 000025
【図１８】
2019512108.tif 000026
【図１９】
2019512108.tif 000027
【国際調査報告】
2019512108.tif 000028